(57)【要約】      （修正有）【課題】曲がったり捻れたりした遺体であっても適切に冷却する遺体冷却装置を提供する。【解決手段】遺体冷却装置１は、底部が冷却基板になっているケーシング１１と、ケーシング１１の内部に収容され、冷却基板に冷熱を供給する冷熱供給部とを備えており、冷却基板を遺体５に沿わせるように設置することにより、遺体５を冷却する。そして、ケーシング１１の天部における外側表面に取り付けられ、天部の外側表面に交差する軸心周りに回転自在に設けられたリング部３０と、リング部３０に挿通されたベルト部３６と、ベルト部３６の両端に設けられた係止具３８とを備えている。【選択図】図１
0003230857.tif 000002
【実用新案登録請求の範囲】
【請求項１】
底部が冷却基板になっているケーシングと、
上記ケーシングの内部に収容され、上記冷却基板に冷熱を供給する冷熱供給部とを備え、
上記冷却基板を遺体に沿わせるように設置することにより、上記遺体を冷却する遺体冷却装置であって、
上記ケーシングの天部における外側表面に取り付けられ、該天部の外側表面に交差する軸心周りに回転自在に設けられたリング部と、
上記リング部に挿通されたベルト部と、
上記ベルト部の両端に設けられた係止具とを備えている、遺体冷却装置。
【請求項２】
請求項１に記載の遺体冷却装置において、
上記ベルト部が伸縮性を有する、遺体冷却装置。
【請求項３】
請求項１又は２に記載の遺体冷却装置において、
上記冷熱供給部は、ペルチェ素子によって構成されている、遺体冷却装置。  
【考案の詳細な説明】
【技術分野】
【０００１】
本考案は、遺体冷却装置に関する。
【背景技術】
【０００２】
一般に、遺体は通夜から火葬までの数日間に亘って安置される。したがって、遺体の腐敗進行を抑制するために遺体を冷却する必要がある。そこで、例えばドライアイスによって遺体を冷却することが知られている。
【０００３】
しかし、ドライアイスは使用に伴って減少するので、補充用のドライアイスを用意したり、ドライアイスの交換作業が必要になるという問題がある。また、ドライアイスは消耗品であることから、繰り返し冷却材として使用することができず、遺体冷却の費用が比較的高くなってしまう問題もある。
【０００４】
一方、特許文献１には、ドライアイスではなくペルチェ素子によって遺体を冷却することが開示されている。特許文献１の遺体冷却装置は、横置した遺体胴部に沿うように屋根形に形成したアルミ製冷却基板と、アルミ製冷却基板の両斜面に沿わせて配置したペルチェ素子と、アルミ製冷却基板と遺体胴部との間に介在させる柔軟不凍液袋とを備えている。ペルチェ素子の冷却面（吸熱面）はアルミ製冷却基板に接触する一方、ペルチェ素子の発熱面（放熱面）側には冷却フィン及び放熱ファンが設けられている。
【先行技術文献】
【特許文献】
【０００５】
【特許文献１】特開２００１−１３７３０１号公報
【考案の概要】
【考案が解決しようとする課題】
【０００６】
ここで、実際の遺体は、真っ直ぐな状態で硬直しているとは限らず、体が曲がったり捻れたりした状態で硬直している場合がある。ところが、特許文献１の遺体冷却装置は、真っ直ぐな仰向け状態の遺体を前提としており、その遺体状態に合わせてアルミ製冷却基板を屋根型の形状としたものである。したがって、特許文献１のものでは、曲がったり捻れたりした遺体に冷却基板を適切に沿わせて冷却することが難しいという問題がある。
【０００７】
本考案は、かかる点に鑑みてなされたものであり、その目的とするところは、曲がったり捻れたりした遺体であっても冷却基板を適切に沿わせて冷却しようとすることにある。
【課題を解決するための手段】
【０００８】
本考案に係る遺体冷却装置は、底部が冷却基板になっているケーシングと、上記ケーシングの内部に収容され、上記冷却基板に冷熱を供給する冷熱供給部とを備え、上記冷却基板を遺体に沿わせるように設置することにより、上記遺体を冷却する遺体冷却装置であって、上記ケーシングの天部における外側表面に取り付けられ、該天部の外側表面に交差する軸心周りに回転自在に設けられたリング部と、上記リング部に挿通されたベルト部と、上記ベルト部の両端に設けられた係止具とを備えている。
【０００９】
上記構成によると、リング部がケーシングの天部において回転自在であるため、リング部に挿通されたベルト部は、その向きが自在に変更調整可能になっている。よって、ベルト部の向きを適切に調整して係止具を周囲に係止固定することにより、ケーシングを任意の向きに固定できる。したがって、曲がったり捻れたりした遺体であってもケーシング底部の冷却基板を遺体に沿わせることができ、当該遺体を適切に冷却することが可能になる。
【００１０】
上記ベルト部は伸縮性を有することが好ましい。そのことにより、係止具により周囲に固定したベルト部の伸縮力により、ケーシングの冷却基板を遺体に対して適切な向きで且つ確実に固定することができる。よって、遺体をより好適に冷却することが可能になる。
【００１１】
上記冷熱供給部は、ペルチェ素子によって構成されていてもよい。このようにすれば、例えばドライアイスのように冷却材の補充や交換が不要であり、繰り返し冷却可能であることから、ランニングコストを低下させて環境にも優しい遺体冷却装置とすることができる。
【考案の効果】
【００１２】
本考案によれば、ケーシングを任意の向きに固定できるので、曲がったり捻れたりした遺体であっても、ケーシング底部の冷却基板を当該遺体に沿わせて適切に冷却することができる。
【図面の簡単な説明】
【００１３】
【図１】図１は、本実施形態における遺体冷却装置の概略構成を示す説明図である。
【図２】図２は、遺体に固定された冷却ユニットを示す側面図である。
【図３】図３は、ケーシング内部の構成を示す平面図である。
【図４】図４は、ケーシング内部の構成を示す側断面図である。
【図５】図５は、リング部を拡大して示す平面図である。
【図６】図６は、リング部を拡大して示す側面図である。
【図７】図７は、ベルト部が左右方向に変更された状態を示す冷却ユニットを示す平面図である。
【図８】図８は、ベルト部が上下方向に変更された状態を示す冷却ユニットを示す平面図である。
【考案を実施するための形態】
【００１４】
以下、本考案の実施形態を図面に基づいて詳細に説明する。尚、本考案は、以下の実施形態に限定されるものではない。
【００１５】
図１は、本実施形態における遺体冷却装置１の概略構成を示している。図２は、遺体５に固定された冷却ユニット１０ａ，１０ｂを示している。図３及び図４は、ケーシング１１内部の構成を示している。図５及び図６は、リング部３０を拡大して示している。図７及び図８は、ベルト部３６の方向が変更された冷却ユニット１０ａ，１０ｂを示している。
【００１６】
図１に示すように、遺体冷却装置１は、遺体５を冷却する冷却ユニット１０ａ，１０ｂと、放熱ユニット２０とを備えている。冷却ユニット１０ａ，１０ｂは水冷式に構成されており、冷却ユニット１０ａ，１０ｂと放熱ユニット２０とは、冷却水が流れる第１冷却ホース２１ａ及び第２冷却ホース２１ｂによって接続されている。
【００１７】
遺体冷却装置１は、例えば２つの冷却ユニット１０ａ，１０ｂを有する。図１及び図２に示すように、第１冷却ユニット１０ａは遺体５の胸部に設置されており、第２冷却ユニット１０ｂは遺体５の腹部に設置されている。２つの冷却ユニット１０ａ，１０ｂは同じ構成である。
【００１８】
冷却ユニット１０ａ，１０ｂは、図３及び図４に示すように、ケーシング１１と、ケーシング１１の内部に収容された冷熱供給部１５とを備えている。冷熱供給部１５は、例えばペルチェ素子１５である。本実施形態では、例えば２つのペルチェ素子１５が所定の間隔で配置されている。ペルチェ素子１５の発熱側（放熱側）には、冷却水で満たされる貯水部１６が伝熱可能に設けられている。
【００１９】
ケーシング１１は、上部が開放された筐体からなる本体１２と、本体１２を閉塞する蓋部１３とを有している。蓋部１３は、例えば軟質の合成樹脂からなり、本体１２を閉塞した状態でケーシング１１の天部１１ａを構成する。
【００２０】
ケーシング１１の本体１２は、例えばアルミニウム等の導電性の高い金属材料によって形成されている。ケーシング１１の底部１１ｂは、遺体５を冷却するための冷却基板１２ａになっている。本実施形態における冷却基板１２ａは平板形状を有している。すなわち、ケーシング１１は、底部１１ｂの外側表面が平面状となっている。
【００２１】
ケーシング１１の内部には、ペルチェ素子１５の冷却側（吸熱側）が冷却基板１２ａに伝熱可能に設けられている。ペルチェ素子１５は、図３に示すように冷却基板１２ａの表面に対して、固定金具１７により固定されている。こうして、冷却基板１２ａにはペルチェ素子１５から冷熱が供給される。遺体冷却装置１は、冷却基板１２ａの外側を遺体５に沿わせるように設置することで遺体５を冷却する。
【００２２】
ここで、図３及び図４に示すように、２つの貯水部１６は、第３冷却ホース２１ｃによって接続され、互いに連通している。図３及び図４で右側の貯水部１６には、第１冷却ホース２１ａの一端が接続され冷却水が供給される。図３及び図４で左側の貯水部１６には、第２冷却ホース２１ｂの一端が接続され冷却水が排出される。第１冷却ホース２１ａ及び第２冷却ホース２１ｂは、ケーシング１１の本体１２における側部から外側へ延出されており、図１に示すように放熱ユニット２０に接続されている。
【００２３】
放熱ユニット２０は、図１に示すように、筐体２２と、筐体２２の内部に収容された第１及び第２ポンプ２３，２４と、第１及び第２ラジエター２５，２６と、第１及び第２ファン２７，２８と、電源部２９とを備えている。
【００２４】
筐体２２は、網状体によって形成されている。そのことにより、第１及び第２ラジエター２５，２６における冷却水の冷却効率が高められるようになっている。電源部２９には、第１及び第２ポンプ２３，２４と、第１及び第２ファン２７，２８とがそれぞれ接続されている。
【００２５】
第１ポンプ２３は、第１冷却ホース２１ａを介して第１冷却ユニット１０ａに接続されると共に、第４冷却ホース２１ｄを介して第１ラジエター２５に接続されている。第１ラジエター２５は、第２冷却ホース２１ｂを介して第１冷却ユニット１０ａに接続されている。
【００２６】
そうして、第１冷却ユニット１０ａから第２冷却ホース２１ｂを流れて放熱ユニット２０に戻ってきた冷却水は、第１ラジエター２５を循環している間に第１ファン２７により冷却される。冷却された冷却水は、第１ポンプ２３により第１冷却ホース２１ａへ吐出され、第１冷却ホース２１ａを通じて第１冷却ユニット１０ａに供給される。
【００２７】
一方、第２ポンプ２４は、第１冷却ホース２１ａを介して第２冷却ユニット１０ｂに接続されると共に、第４冷却ホース２１ｄを介して第２ラジエター２６に接続されている。第２ラジエター２６は、第２冷却ホース２１ｂを介して第２冷却ユニット１０ｂに接続されている。
【００２８】
そうして、第２冷却ユニット１０ｂから第２冷却ホース２１ｂを流れて放熱ユニット２０に戻ってきた冷却水は、第２ラジエター２６を循環している間に第２ファン２８により冷却される。冷却された冷却水は、第２ポンプ２４により第１冷却ホース２１ａへ吐出され、第１冷却ホース２１ａを通じて第２冷却ユニット１０ｂに供給される。
【００２９】
第１冷却ホース２１ａから第１及び第２冷却ユニット１０ａ，１０ｂに供給される冷却水は、図３で右側の貯水部１６、第３冷却ホース２１ｃ、及び図３で左側の貯水部１６を順に流れて第２冷却ホース２１ｂへ排出される。そのことにより、２つのペルチェ素子１５の発熱側が冷却水によって冷却されることとなる。
【００３０】
そして、本実施形態における遺体冷却装置１は、図１及び図２に示すように、ケーシング１１に設けられたリング部３０と、ベルト部３６と、係止具としてのクリップ３８とを備えている。リング部３０は、ケーシング１１の天部１１ａ（つまり蓋部１３）における外側表面に取り付けられている。
【００３１】
図５及び図６に示すように、リング部３０は、例えば金属製であり、板状のベース部３１と、ベース部３１の側部に設けられた筒状の軸受部３２と、軸受部３２に軸支されたリング本体３３とを有している。リング本体３３はＤ字状のリングであり、軸受部３２の軸心周りに揺動自在となっている。
【００３２】
ベース部３１は、ケーシング１１の蓋部１３に対して、例えばビスやピン等からなる軸部３４により回転自在に取り付けられている。そのことにより、リング部３０は、蓋部１３の面上で回転自在になっている。尚、リング部３０は、ケーシング１１において、天部１１ａの外側表面に交差する軸心周りに回転自在に設ければよい。
【００３３】
リング部３０のリング本体３３には、ベルト部３６が挿通されている。ベルト部３６は、伸縮性を有している。図７及び図８に示すように、リング部３０が自在に回転するので、ベルト部２６の向きは、自在に調整可能となっている。さらに、ベルト部３６の両端には、クリップ３８が設けられており、クリップ３８によってベルト部３６の端部を周囲の布団７等に固定できるようになっている。
【００３４】
そうして、遺体５に冷却ユニット１０ａ，１０ｂの冷却基板１２ａを適切に沿わせた状態で、ベルト部３６の向きを調整し、そのベルト部３６の端部をクリップ３８により固定する。こうして遺体５を冷却する。
【００３５】
以上説明したように、本実施形態によると、リング部３０がケーシング１１の天部１１ａにおいて回転自在であることから、リング部３０に挿通されたベルト部３６も、その向きを自在に変更調整できる。よって、ベルト部３６の向きを適切に調整してクリップ３８を周囲の布団７等に係止固定することにより、ケーシング１１を任意の向きに固定できる。したがって、曲がったり捻れたりした遺体５であっても、ケーシング１１の底部１１ｂを構成する冷却基板１２ａを遺体５に沿わせることができ、その遺体５を適切に冷却することができるのである。
【００３６】
加えて、ベルト部３６が伸縮性を有するようにしたので、クリップ３８により周囲に固定したベルト部３６の伸縮力により、ケーシング１１の冷却基板１２ａを遺体５に対して適切な向きで且つ確実に固定することができる。よって、遺体５をより好適に冷却できることとなる。
【００３７】
さらに、冷熱供給部１５をペルチェ素子１５によって構成したので、ドライアイスのように冷却材の補充や交換が不要であり、繰り返し冷却可能であることから、ランニングコストを大幅に低下させて、環境にも優しい遺体冷却装置１とすることができる。
【００３８】
尚、冷熱供給部１５は、ペルチェ素子に限らず、冷媒を用いた冷凍装置などの他の冷熱供給源を適用することも可能である。また、上記の例では、２つの冷却ユニット１０ａ，１０ｂを有する遺体冷却装置１について説明したが、本考案はこれに限らず、冷却ユニット１０は１つでもよいし、３つ以上設けるようにしてもよい。
【００３９】
また、ベルト部３６及びクリップ３８を適宜調整して、遺体５の一部をケーシング１１によって支持固定するようにしてもよい。例えば、口が僅かに開いた遺体５であれば、遺体５の顎を下からケーシング１１で押し当てて固定し、口が閉じるように顎を支持した状態で遺体５の胸部を冷却することも可能である。
【産業上の利用可能性】
【００４０】
以上説明したように、本考案は、遺体を適切に冷却する遺体冷却装置について有用である。
【符号の説明】
【００４１】
１  遺体冷却装置
５  遺体
１０ａ，１０ｂ  冷却ユニット
１１  ケーシング
１１ａ  天部
１１ｂ  底部
１２ａ  冷却基板
１５  冷熱供給部、ペルチェ素子
３０  リング部
３６  ベルト部
３８  クリップ（係止具）   
【図１】
0003230857.tif 000003
【図２】
0003230857.tif 000004
【図３】
0003230857.tif 000005
【図４】
0003230857.tif 000006
【図５】
0003230857.tif 000007
【図６】
0003230857.tif 000008
【図７】
0003230857.tif 000009
【図８】
0003230857.tif 000010